(57)【特許請求の範囲】
【請求項１】
袋体を備える包装用容器であって、
前記袋体には、一方の内面とこれに対向する他方の内面とが接着されることで、前記袋体の内部空間を分断する封止部が設けられており、
前記封止部に、剥離部材が挟まれており、
前記剥離部材は、引抜補助部と破壊部を備え、
前記剥離部材を引き抜くことにより、前記破壊部が前記封止部の左右方向に沿って動き、
前記封止部における内面同士の接着をはがすように構成されている、包装用容器。
【請求項２】
前記破壊部の幅は、前記封止部の上下方向の長さと同一であるか又は長いことを特徴とする、請求項１に記載の包装用容器。
【請求項３】
袋体を備える包装用容器であって、
前記袋体には、一方の内面とこれに対向する他方の内面とが接着されることで、前記袋体の内部空間を分断する封止部が設けられており、
前記封止部に、剥離部材が挟まれており、
前記剥離部材は、引抜補助部と破壊部を備え、
前記破壊部の幅は、前記封止部の上下方向の長さと同一であるか又は長く、
前記破壊部は、前記引抜補助部の一端に設けられており、かつ、前記封止部の左右方向の一端に挟まれており、
前記封止部の左右方向の一端に固定部材が設けられており、
前記破壊部が、前記固定部材により脱離可能に固定されている、包装用容器。
【請求項４】
袋体を備える包装用容器であって、
前記袋体には、一方の内面とこれに対向する他方の内面とが接着されることで、前記袋体の内部空間を分断する封止部が設けられており、
前記封止部に、剥離部材が挟まれており、
前記剥離部材は、引抜補助部と破壊部を備え、
前記破壊部の幅は、前記封止部の上下方向の長さと同一であるか又は長く、
前記袋体には、前記引抜補助部を引き抜くための引抜穴が設けられており、
前記引抜穴には、前記破壊部と嵌合する止め部が設けられており、
前記破壊部と前記止め部が嵌合することで、前記引抜穴が塞がれるように構成されていることを特徴とする、包装用容器。
【請求項５】
袋体を備える包装用容器であって、
前記袋体には、一方の内面とこれに対向する他方の内面とが接着されることで、前記袋体の内部空間を分断する封止部が設けられており、
前記封止部に、剥離部材が挟まれており、
前記剥離部材は、引抜補助部と破壊部を備え、
前記破壊部の幅は、前記封止部の上下方向の長さと同一であるか又は長く、
前記袋体には、前記引抜補助部を引き抜くための引抜穴が設けられており、
前記引抜補助部の一端が前記引抜穴より突出しており、
前記引抜穴より突出した前記引抜補助部の一端は、小袋体により覆われ、外部空間から隔絶されていることを特徴とする、包装用容器。
【請求項６】
前記袋体を２以上備える、請求項１〜５の何れか一項に記載の包装用容器。
【請求項７】
前記袋体の開口と連結する吐出管を備え、
前記２以上の袋体の開口はそれぞれ独立して一つの前記吐出管に連結していることを特徴とする、請求項６に記載の包装用容器。
【発明の詳細な説明】
【技術分野】
【０００１】
本発明は、包装用容器に関する。具体的には、飲食品のための包装用容器に関する。
【背景技術】
【０００２】
従来から、食品及び／又は飲料を充填可能な飲食品用の包装用容器が多数知られている。
例えば、特許文献１には、注出口を備える、液体食品用の包装容器が開示されている。
また、特許文献２には、可撓性フィルムにより形成された小室を複数有し、各小室は、剥離可能な封止部を有する、包装袋が開示されている。
【先行技術文献】
【特許文献】
【０００３】
【特許文献１】特開平１０−１７５６３２号公報
【特許文献２】特開２０１１−０２５９４４号公報
【発明の概要】
【発明が解決しようとする課題】
【０００４】
特許文献１及び２に記載されているように、包装容器に封入された形態で食品や飲料を提供することは広く行われている。このような包装容器においては、内容物が容器外部に漏れださないように、特許文献２のように容器が封止されている。内容物を食す際には、この封止を剥離する必要がある。
容器を引っ張ることにより封止を引き剥がす形態の包装容器が多いが、手が滑って引き剥がしに失敗したり、剥離の際に内容物が飛び散ったりするなどの問題があった。
このような問題に鑑み、本発明は、容易な操作により封止を剥離して開封可能な新規の包装用容器を提供することを、課題とする。
【課題を解決するための手段】
【０００５】
上記課題を解決する本発明は、袋体を備える包装用容器であって、前記袋体には、一方の内面とこれに対向する他方の内面とが接着されることで、前記袋体の内部空間を分断する封止部が設けられており、前記封止部に、剥離部材が挟まれている、包装用容器である。
剥離部材を封止部に沿って動かすことで、封止された袋体の内面同士を剥離することができる。すなわち、本発明によれば、容易に開封可能な、包装用容器を提供することができる。
【０００６】
本発明の好ましい形態では、前記剥離部材は、引抜補助部と破壊部を備え、前記破壊部の幅は、前記封止部の上下方向の長さと同一であるか又は長い。
引抜補助部を把持して引き抜くという単純な動作によって、破壊部を封止部に沿って動かし、封止された袋体の内面同士を容易に剥離することができる。
【０００７】
本発明の好ましい形態では、前記破壊部は、前記引抜補助部の一端に設けられており、かつ、前記封止部の左右方向の一端に挟まれており、前記封止部の左右方向の一端に固定部材が設けられており、前記破壊部が、前記固定部材により脱離可能に固定されている。
このように、破壊部を固定部材に固定する形態とすることによって、引抜補助部を把持して剥離部材を引き抜くまで、破壊部による封止部の剥離が起こらない。つまり、容易に開封可能でありながら、誤作動による開封を防止できる。
【０００８】
本発明の好ましい形態では、前記袋体には、前記引抜補助部を引き抜くための引抜穴が設けられており、前記引抜穴には、前記破壊部と嵌合する止め部が設けられており、前記破壊部と前記止め部が嵌合することで、前記引抜穴が塞がれるように構成されている。
本発明によれば、剥離部材の引き抜き後に、内容物が漏れることを防ぐことができる。また、剥離部材を引き抜いた後に袋体と剥離部材が分離しないため、ごみの量を減らすことができる。
【０００９】
本発明の好ましい形態では、前記袋体には、前記引抜補助部を引き抜くための引抜穴が設けられており、前記引抜補助部の一端が前記引抜穴より突出しており、前記引抜穴より突出した前記引抜補助部の一端は、小袋体により覆われ、外部空間から隔絶されている。
引抜補助部の一端が袋体の外部に突出しているため、引抜補助部の把持が容易であり、剥離部材を容易に引き抜くことができる。また、突出した引抜補助部の一端は外部空間から隔絶されているため、衛生上好ましい。
【００１０】
本発明の好ましい形態では、前記袋体を２以上備える。
本発明によれば、２以上の内容物を、１の包装用容器で包装することができる。
【００１１】
本発明の好ましい形態では、前記包装容器は、前記袋体の開口と連結する吐出管を備え、前記２以上の袋体の開口はそれぞれ独立して一つの前記吐出管に連結している。
本発明によれば、包装容器内で内容物同士が混合することなく、吐出管から内容物を吐出させることができる。
【発明の効果】
【００１２】
本発明によれば簡便な操作で封止を剥離して開封可能な包装用容器を提供することができる。
【図面の簡単な説明】
【００１３】
【図１】本発明に係る包装用容器１０の第１の形態を表す図である。図１中白抜き矢印は、剥離部材１３を引き抜く方向を表す。
【図２】第１の形態の包装用容器１０において、剥離部材１３を引き抜いた後を表す図である。図２中白抜き矢印は、剥離部材１３を引き抜く方向を表す。
【図３】実施例１の包装容器１０における封止部１２の拡大断面図である。
【図４】本発明に係る包装用容器１０の、第２の形態を表す図である。図４中白抜き矢印は、剥離部材１３を引き抜く方向を表す。
【図５】本発明に係る包装容器１０の第３の形態を表す図である。図５中白抜き矢印は、剥離部材１３を引き抜く方向を表す。
【図６】第３の形態の、斜視図である。
【図７】第３の形態の包装用容器１０において、剥離部材１３を引き抜いた後を表す図である。図７中白抜き矢印は、剥離部材１３を引き抜く方向を表す。
【図８】本発明に係る包装用容器の、第４の形態を表す図である。図８中白抜き矢印は、剥離部材１３を引き抜く方向を表す。
【図９】第４の形態の包装用容器１０において、剥離部材１３を引き抜いた後を表す図である。図９中白抜き矢印は、剥離部材１３を引き抜く方向を表す。
【発明を実施するための形態】
【００１４】
以下、図面を参照しながら、本発明について説明するが、本発明の技術的範囲は、以下の記載に限定されない。
【００１５】
［第１の形態］
以下、図１〜３を適宜参照しながら本発明の第１の形態に係る包装用容器１０について説明する。
図１に示すように、本発明の包装用容器１０は、袋体１１を備えている。
【００１６】
袋体１１は、可撓性を有する公知の素材で形成されている。例えば、アルミや、バリアフィルム等の素材を使用することができる。
【００１７】
袋体１１の容量は特に制限されず、封入する内容物の種類によって適宜設計することができる。内容物として飲食物を封入する場合、後述する封止部１２で分断される内部空間の一方に、飲食品を１８０ｇ充填することができるように、容量を設定することができる。
【００１８】
袋体１１には封止部１２が設けられている。封止部１２は、袋体１１の一方の内面とこれに対向する他方の内面とが接着されることで、構成されている。封止部１２により袋体１１の内部空間は、袋体１１の底側と開口側とに分断されている。
【００１９】
封止部１２における袋体１１の内面同士の接着方法は特に制限されず、公知の方法を採用することができる。例えば、接着剤を使用して接着する方法や、ヒートシールによって接着する方法を挙げることができる。また、袋体１１の一方の内面に突条を、これに対向する他方の内面に凹条をそれぞれ設け、これを嵌合させる方法を用いてもよい。
内容物が飲食物である場合には、安全面から食品用容器に使用可能な公知の接着剤を用いることが好ましい。
【００２０】
なお、本明細書において「左右方向」という場合には、封止部１２が袋体１１を横断する方向をいう。本実施形態においては、封止部１２の長手方向が「左右方向」に該当する。すなわち、図１における左右方向がこれに当たる。
また、本明細書において「上下方向」は上述する「左右方向」に直交する方向をいう。本実施形態においては、封止部１２の短手方向が「上下方向」に該当する。すなわち、図１における上下方向がこれに当たる。
【００２１】
図３に示すように、封止部１２には、剥離部材１３が挟まれている。より詳細には、袋体１１の対向する２つの内面の間に剥離部材１３が挟まれており、剥離部材１３の上下において、この２つの内面同士が接着されている。
【００２２】
剥離部材１３は、引抜補助部１３１と破壊部１３２を備える（図１及び図２）。
引抜補助部１３１は左右方向に延びる長尺の構成を採り、その一端（図１の左側の端）が袋体１１に設けられた引抜穴から突出している。引抜補助部１３のもう一方の端部に破壊部１３２が設けられている。
【００２３】
引抜補助部１３１の内、袋体１１の内部に存在する部分は、全て封止部１２において挟まれている（図１）。
一方で、破壊部１３２は、その上下方向の長さが、封止部１２の上下方向の長さよりも長い。すなわち、封止部１２は上下方向において封止部１２より突出する構成を採っている。
【００２４】
袋体１１から突出した引抜補助部１３１の一部を把持し、これを引き抜くことによって、破壊部１３２が封止部１３の左右方向に沿って動く。これによって、封止部１２における袋体１１の内面同士の接着が破壊部１３２によって剥離される。
すなわち、引抜補助部１３１を引き抜くという簡便な動作によって、封止部１３を剥離し、開封が容易に可能となるのである。
【００２５】
なお、本形態においては、破壊部１３２の幅（上下方向の長さ）が封止部１３の上下方向の長さよりも長いが、必ずしも本形態に限られない。
破壊部１３２の形状は、その上下方向の長さが封止部１２の上下方向の長さと同一であるか又は長ければよい。このように構成すれば、封止部１２の上下方向の全てに渡っての剥離が破壊部１３２によって可能となる。
【００２６】
本形態においては、破壊部１３２は直方体であるが、これに限られず、その直径が封止部１２の上下方向の長さよりも長い、球とすることができる。
【００２７】
剥離部材１３の素材は特に制限されず、封止部１２を破壊することが可能な強度を有する素材、例えばプラスチックや金属のような硬い素材を採用することができる。
【００２８】
本形態においては、剥離部材１３の全てが硬い素材で構成されているが、剥離部材１３の形態はこれに限られない。
例えば、剥離部材１３の要素のうち破壊部１３２を硬い部材で構成し、引抜補助部１３１を紐で構成しても構わない。このような形態であっても、引抜補助部１３１の引き抜き操作と、破壊部１３２による封止部１２の剥離の用途において問題はない。
【００２９】
なお、剥離部材１３が引抜補助部１３１と破壊部１３２を備えることは必須ではない。破壊部１３２を備えない形態であっても良い。この場合、袋体１１から突出した引抜補助部１３１の端部を上下に振れば、引抜補助部１３１が突出する袋体１１の穴を支点として、袋体１１にある引抜補助部１３１が上下に振れ、封止部１２を剥離することができる。つまり、引抜補助部１３１を上下に振りながら引き抜くことで、容易に封止部１２を剥離し、開封が可能となる。
【００３０】
本形態においては、剥離部材１３の引抜補助部１３１の一端は袋体１１から突出しているが、剥離部材１３の全てが袋体１１の内部に収容されている形態であっても構わない。この場合、引抜補助部１３１の一端を袋体１１から突き破って露出させ、これを引き抜くことで、封止部１２を剥離することができる。
【００３１】
袋体１１から突出した引抜補助部１３１の一端は、小袋体１５により覆われている（図１）。つまり、袋体１１から突出した引抜補助部１３１の一端は、小袋体１５の内部空間に収容されている。小袋体１５は、袋体１１と一体形成されており、これにより、引抜補助部１３１の一端は、外部空間から隔絶されている（図２）。
なお、小袋体１５は、袋体１１と切り離し可能に連結された別体であってもよい。
【００３２】
剥離部材１３１を引く抜く際には、小袋体１５の上から引抜補助部１３１を把持して引き抜く。そのため、小袋体１５は、剥離部材１３１の引き抜きの際、袋体１１から分離する（図２）。分離を容易にするため、袋体１１と小袋体１５との間に切り込みを入れてもよい。
【００３３】
本形態において、破壊部１３２は引抜補助部１３１の端部に設けられているが、この位置は限定されず、引抜補助部１３１の中間の任意の位置に設けられていてもよい。
【００３４】
内容物は封止部１２により分断された袋体１１の内部空間のうち、下方（底側）の空間に収容する。
収容する内容物の種類は限定されず、飲食物や医薬品、実験用試薬、化粧料、飼料などを収容することができる。特に本発明の包装用容器１０は飲食品の包装のために用いることが好ましい。
なお、「飲食品」とは、流動性を有する食品及び飲料を指す。具体的には、粘性食品（例えば、粥やすりつぶしたおかず、ゼリー飲料等）及び飲料を指す。
粘性食品の粘度は、本発明に係る包装用容器を手で押した際に押出し可能な粘度であれば、特に制限されない。
【００３５】
本形態においては、封止部１２により分断された袋体１１の内部空間のうち、上方（開口側）の空間が、袋体１１の開口に向かって漸次狭窄する形態を採る（図１）。内部空間が開口に向かって徐々に狭まるように構成されているため、袋体１１に収容された内容物を余さず開口より外部に排出することが容易となる。
【００３６】
本形態においては、図１における右上がりの斜線部分において、袋体１１の内面同士が接着されている。これにより、上述した袋体１１の内部空間における漸次狭窄構造が形成されている。
【００３７】
袋体１１の開口には吐出管１４が設けられている。袋体１１に収容されている内容物はこの吐出管１４を通って外部に吐出される。吐出管１４を設けることで、袋体１１から外部に内容物を排出する際に、内容物があらぬ方向へ飛び散ることを防ぐことができる。また、内容物が飲食物である場合、吐出管１４を加えて容易に口腔内に吐出することができ、食事しやすい。
【００３８】
吐出管１４は、包装用容器１０に充填された内容物を、包装用容器１０の外に吐出することができれば、その形状、大きさ、及び長さについては、特に制限はない。吐出管１４としては、チューブやスパウトを採用することができる。
内容物が飲食物である場合、吐出管１４として、スパウトを採用することが好ましい。
【００３９】
包装用容器１０に充填された内容物は、剥離部材１３を引き抜いて封止部１２を剥離した後、袋体１１を手で押すことで、取り出すことができる。
【００４０】
包装用容器１０は、公知の装置を使用した方法で、製造することができる。例えば、成型射出機を使用して、製造することができる。所望により、ラミネート加工やスリット加工を施すことや、表面に印刷を施すこともできる。
【００４１】
包装用容器１０に対して、内容物を充填する方法に制限はなく、公知の方法を採用することができる。
例えば、まず、封止がされていない袋体１１に内容物を充填する。その後、内容物が収容されている空間より上方において、袋体１１の互いに対向する２つの内面の間に剥離手段１３を挟んだ上で接着し、封止部１２を形成する方法が好適に例示できる。
【００４２】
［第２の形態］
以下、図４を適宜参照しながら本発明の第２の形態に係る包装用容器１０について説明する。
本形態の包装用容器１０においては、封止部１２の左右方向の一端に、固定部材１２１が設けられている。そして、破壊部１３２は、この固定部材１２１により脱離可能に固定されている（図４）。
本形態とすることによって、内容物を充填した包装容器１０を輸送する時に、剥離部材１３が袋体１１から抜け落ちることを防ぐことができる。
【００４３】
固定部材１２１と破壊部１３２との脱離可能な固定を実現する手段は特に限定されない。
例えば、固定部材１２１と破壊部１３２を嵌合することで固定状態を実現してもよい。具体的には、固定部材１２１と破壊部１３２を互いにオスメス構造として嵌合させる形態が挙げられる。
また、固定部材１２１と破壊部１３２を一体形成し、固定部材１２１と破壊部１３２とがゲートにより連結されている形態も例示できる。
【００４４】
袋体１１に設けられた引抜穴から引抜補助部１３１が突出している（図４）。この引抜穴の縁には、破壊部１３２と篏合する止め部１２２が設けられている（図４）。より詳細には、破壊部１３２と止め部１２２は互いにオスメス構造となっており、引抜補助部１３１を引き抜く操作の終点において、破壊部１３２と止め部１２２が圧接することで、オス部とメス部が嵌合する。これにより、引抜穴がふさがれる。
剥離部材１３による封止部１２の剥離の後、引抜穴が破壊部１３２と止め部１２２の嵌合により塞がれるため、引抜穴から飲食物がこぼれることを防ぐことができる。
また、剥離部材１３による封止部１２の剥離の後、袋体１１と剥離部材１３が分離せず一体のままであるので、ごみを減らすことができる。
【００４５】
［第３の形態］
以下、図５〜７を適宜参照しながら本発明の第２の形態に係る包装用容器１０について説明する。
本形態の包装用容器１０は、２つの袋体１１を備える（図５〜７）。
本形態とすることによって、種類の異なる飲食品を、互いに混合させることなく、充填することができる。
【００４６】
本形態においては、袋体１１を２つ備えるが、その数に制限はなく、２以上の数を任意に選択することができる。
また、本形態においては、２つの袋体１１をマチがある方向に並列して設けているが本発明はこれに限られない。２以上の袋体１１をマチによって膨らむ方向に重ねて設けてもよい。
【００４７】
３以上の複数の袋体１１を備える場合には、２以上の袋体１１をマチがある方向に並列して設け、かつ、これら袋体１１のマチが膨らむ方向に重ねて別の袋体１１を設けてもよい。
【００４８】
さらには、マチがある方向に並べて設けた複数の袋体１１の幅の合計と同等の幅を有する別の１つの袋体１１をマチが膨らむ方向に重ねて設けることが好ましい。
このような形態の包装用容器１０を飲食物の包装に応用する場合、マチがある方向に並べて設けた小さい袋体１１にはおかずを収容し、マチが膨らむ方向に重ねて設けた袋体１１には主食（粥など）を収容する形態とすることが好ましい。
【００４９】
マチがある方向に並べて設けた２つの袋体１１の幅の合計と同等の幅を有する別の１つの袋体１１をマチが膨らむ方向に重ねて設けた形態として場合、正面から見ると図５のように見え、これを裏から見ると図４のように見える。
【００５０】
本形態における２つの袋体１１の開口は、それぞれ独立して１つの吐出管１４に連結している。このような構成と採るため、２つの袋体１１に収容されている内容物が、吐出管１４に到達する前に混合することを防ぐことができる。２つの袋体１１のそれぞれに収容される内容物を交互に吐出したとしても、２種の内容物の混合物が吐出される割合を低減することができる。
袋体１１を３以上設ける場合であっても、同様の構成を採用することが好ましい。
【００５１】
なお、袋体１１を２以上備える場合、それぞれの袋体１１に設けられている全ての封止部１２を剥離して、全ての袋体１１に収容された内容物を吐出可能な状態として使用してもよい。また、１の袋体１１の封止部１２のみを剥離し、当該袋体１１に収容された内容物を吐出した後に、他の袋体１１の封止部１２を剥離して別の内容物を吐出する使用態様としてもよい。
【００５２】
［第４の形態］
本形態の包装用容器１０は、２つの袋体１１を備え、それぞれの袋体１１に封止部１２、固定部１２１、止め部１２２、剥離手段１３、小袋体１５を備える（図８及び図９）。
【産業上の利用可能性】
【００５３】
本発明の包装用容器１０は、介護食や離乳食を充填することで、介護又は保育の現場で使用することができる。
【符号の説明】
【００５４】
１０    包装用容器
１１    袋体
１２    封止部
１２１  固定部材
１２２  止め部材
１３    剥離部材
１３１  引抜補助部
１３２  破壊部
１４    吐出管
１５    小袋体
【要約】      （修正有）【課題】飲食品のための新規な包装用容器を提供する。【解決手段】袋体１１を備える包装用容器１０であって、前記袋体には、一方の内面とこれに対向する他方の内面とが接着されることで、前記袋体の内部空間を分断する封止部１２が設けられており、前記封止部に、剥離部材１３が挟まれていることを特徴とする、包装用容器。前記剥離部材は、引抜補助部１３１と破壊部１３２を備え、前記破壊部の幅は、前記封止部の上下方向の長さと同一であるか又は長いことを特徴とする包装用容器。【選択図】図１【図１】
0006883172.tif 000002
【図２】
0006883172.tif 000003
【図３】
0006883172.tif 000004
【図４】
0006883172.tif 000005
【図５】
0006883172.tif 000006
【図６】
0006883172.tif 000007
【図７】
0006883172.tif 000008
【図８】
0006883172.tif 000009
【図９】
0006883172.tif 000010